(57)【要約】【課題】市町村の担当者が利用者に聞き取りに行く際には、聞き取りに必要な書類だけを綴じる持ち出しホルダーを設け、取付け取外し自在とすることを可能とするとともに、一人の利用者の情報については全て一つのファイルに綴じることができるようにした新規な支援費制度用障害福祉ファイルを提供する。【解決手段】左右ホルダーを見開き状にした見開き状ファイル本体１内に、左右ホルダー間に介在する細長帯状片４からなる綴じ装置を設け、この綴じ装置に持ち出しホルダー５を取付け取外し自在に設けてある。【選択図】      図１
2004160931.tif 000002
【特許請求の範囲】
【請求項１】
左右ホルダーを見開き状にした見開き状ファイル本体内に、左右ホルダー間に介在する細長帯状片からなる綴じ装置を設け、この綴じ装置に持ち出しホルダーを取付け取外し自在に設けてある支援費制度用障害福祉ファイル。
【請求項２】
上記見開き状ファイル本体の左右ホルダーの片側ホルダーを複数のポケットホルダーとし、他側ホルダーを障害者（児）福祉台帳用の上下部開口ホルダーとしてあり、さらに綴じ装置の細長帯状片を挿通する綴じ孔を有する複数の上部開口袋状ホルダーを取付け取外し自在に綴じてある上記請求項１に記載の支援費制度用障害福祉ファイル。
【請求項３】
上記複数のポケットホルダーからなる片側ホルダーを見開き状右側として透明な合成樹脂シートにより構成し、上記障害者（児）福祉台帳用の他側ホルダーを見開き状左側として透明な合成樹脂シートにより構成してある上記請求項２に記載の支援費制度用障害福祉ファイル。
【請求項４】
上記複数の上部開口袋状ホルダーを透明な薄いフィルムにより構成してある上記請求項２又は３に記載の支援費制度用障害福祉ファイル。
【請求項５】
上記持ち出しホルダーを不透明な着色合成樹脂シートにより構成してある上記請求項１乃至４の何れかに記載の支援費制度用障害福祉ファイル。
【請求項６】
綴じ装置の細長帯状片を挿通する上記持ち出しホルダーの綴じ孔に持ち出しホルダーの縁に続く切欠部を設けてある上記請求項１乃至５の何れかに記載の支援費制度用障害福祉ファイル。
【請求項７】
上記片側ホルダーである複数のポケットホルダーの底辺及び側辺に幅広の内折りマチを設けてある上記請求項２乃至６の何れかに記載の支援費制度用障害福祉ファイル。
【請求項８】
上記持ち出しホルダーを見開き状ホルダーとし、その上部にスティックファスナーを設けると共に障害者（児）福祉台帳用の他側ホルダーにもスティックファスナーを設けてある上記請求項２乃至７の何れかに記載の支援費制度用障害福祉ファイル。
【請求項９】
上記綴じ装置の細長帯状片の基部に係止頭部を備え、見開き状ファイル本体の片側ホルダーに該細長帯状片の係止頭部を係止する係止部を設け、見開き状ファイル本体の他側ホルダーに該細長帯状片の先部を止めるストッパー部を設け、細長帯状片の係止頭部を片側ホルダーの係止部に係止し、細長帯状片の先部を他側ホルダーのストッパー部に係脱自在に止めるようにし、細長帯状片を見開き状ファイル本体の片側ホルダーと他側ホルダー間の内側に介在させてなる上記請求項１乃至８の何れかに記載の支援費制度用障害福祉ファイル。
【請求項１０】
上記細長帯状片を２本備え、見開き状ファイル本体の片側ホルダーの係止部及び他側ホルダーのストッパー部を２個づつとしてある上記請求項９に記載の支援費制度用障害福祉ファイル。
【請求項１１】
上記細長帯状片の係止頭部を細長帯状片の幅より幅広の四方体とし、その後端に上向きの折曲部を介して後方に突出する舌片を有し、細長帯状片と係止頭部との境界部に薄肉のヒンジ部を設けてある上記請求項９又は１０に記載の支援費制度用障害福祉ファイル。
【請求項１２】
上記見開き状ファイル本体の片側ホルダーの係止部が、上記細長帯状片を挿通するスリットと、細長帯状片の係止頭部の両側部を介入する逆ハ字状のスリットと、該係止頭部の舌片を挿通する透孔とを有する上記請求項９乃至１１の何れかに記載の支援費制度用障害福祉ファイル。
【請求項１３】
上記見開き状ファイル本体の他側ホルダーのストッパー部が該他側ホルダーのシートを切り起した切り起し片に細長帯状片の先部を挿通する透孔を設けてある上記請求項９乃至１２の何れかに記載の支援費制度用障害福祉ファイル。
【請求項１４】
上記ストッパー部が一対の切り起し片からなる上記請求項１３に記載の支援費制度用障害福祉ファイル。
【請求項１５】
上記細長帯状片を合成樹脂製板により構成してある上記請求項９乃至１４の何れかに記載の支援費制度用障害福祉ファイル。
【発明の詳細な説明】
【０００１】
【発明の属する技術分野】
社会福祉基礎構造改革の一つとして、身体障害者、知的障害者及び障害児を対象とする障害者福祉サービスについては、利用者の立場に立った制度を構築するため、これまでの行政がサービスの受け手を特定し、サービス内容を決定する「措置制度」から、新たな利用の仕組み「支援費制度」に平成１５年度から移行することになり、平成１５年４月１日から実施される。
支援費制度においては、障害者の自己決定を尊重し、利用者本位のサービスの提供を基本として、事業者との対等な関係に基づき、障害者自らがサービスを選択し、契約によりサービスを利用する仕組みとしたところである。
これにより、事業者は、行政からの受託者としてサービスを提供していたものから、サービス提供の主体として、利用者の選択に十分応えることができるようサービスの向上を図ることが求められることとなる。
本発明は、この支援費制度を円滑に実行するのに適した新規な支援費制度用障害福祉ファイルに関する。
【０００２】
【従来の技術】
上記支援費制度は平成１５年４月１日から新たに実施される制度であるから、この制度を実行するために用いられるファイルはなかった。
【０００３】
【発明が解決しようとする課題】
支援費制度の基本的な仕組みを図３０を参照して説明する。
（１）障害者福祉サービスの利用について支援費支給を希望する者（利用者）は、必要に応じて適切なサービス選択のための相談支援を受け、市町村に支援費支給の申請を行う。
（２）市町村は、支給を行うことが適切であると認めるときは、利用者に対して支給決定を行う。
（３）利用者は、都道府県知事の指定を受けた指定事業者・施設との契約により障害者福祉サービスを利用する。
（４）障害者福祉サービスを利用した時は、
・本人及び扶養義務者は、指定事業者・施設に対し、サービスの利用に要する費用のうち本人及び扶養義務者の負担能力に応じて定められた利用者負担額を支払うとともに、
・市町村は、サービスの利用に要する費用の全体額から利用者負担額を控除した額を支援費として支給する。（ただし、当該支援費を指定事業者・施設が代理受領する方式をとる。）
【０００４】
この支援費制度を円滑に実施するためには、多くの書類が必要となり、市町村の担当者は、利用者の家庭に出向いて種々の状況の聞き取りをしなければならない。その際市町村だけの情報を記載した書類を聞き取りの際に携帯することは不都合があるという課題がある。しかし、一人の利用者の情報については一つのフアイルに一括して綴じておくことが必要であるという課題もある。
本発明は、上記課題に鑑み、市町村の担当者が利用者に聞き取りに行く際には、聞き取りに必要な書類だけを綴じる持ち出しホルダーを設け、取付け取外し自在とすることを可能とするとともに、一人の利用者の情報については全て一つのファイルに綴じることができるようにした新規な支援費制度用障害福祉ファイルを提供するものである。
【０００５】
【課題を解決するための手段】
そのために、本発明支援費制度用障害福祉ファイルは、左右ホルダーを見開き状にした見開き状ファイル本体内に、左右ホルダー間に介在する細長帯状片からなる綴じ装置を設け、この綴じ装置に持ち出しホルダーを取付け取外し自在に設けてある。即ち、持ち出しホルダーを綴じ装置に取付け取外し自在として、市町村の担当者が利用者の家庭に聞き取りに行く際、支援費制度用障害福祉ファイルから取外して持ち出すことができ、支援費制度用障害福祉ファイル中の別の詳細な情報を同時携帯しないで済むとともに、聞き取り後には持ち出しホルダーを支援費制度用障害福祉ファイルに取付けて一つのファイルにできる。
【０００６】
また、本発明支援費制度用障害福祉ファイルは、上記見開き状ファイル本体の左右ホルダーの片側ホルダーを複数のポケットホルダーとし、他側ホルダーを障害者（児）福祉台帳用の上下部開口ホルダーとしてあり、さらに綴じ装置の細長帯状片を挿通する綴じ孔を有する複数の上部開口袋状ホルダーを取付け取外し自在に綴じてある。即ち、障害者（児）福祉台帳を他側ホルダーに出入自在に収めることができ、複数の上部開口状ホルダーに相談受付票、勘案事項整理票、支援費支給申請書、診断書、契約内容報告書等の書類を出入自在に収納でき、複数のポケットホルダーに支援費明細書、サービス提供実績記録票、費用明細書等の書類を一つのファイルに収納できる。
【０００７】
さらに、本発明支援費制度用障害福祉ファイルは、上記複数のポケットホルダーからなる片側ホルダーを見開き状右側として透明な合成樹脂シートにより構成し、上記障害者（児）福祉台帳用の他側ホルダーを見開き状左側として透明な合成樹脂シートにより構成してある。即ち、片側及び他側ホルダーを透明合成樹脂シートにより構成してあることによって、これらホルダーに収められた書類をホルダーの外から視認することができる。また障害者（児）福祉台帳用の他側ホルダーを見開き状左側としたことにより、多数のファイルを収容するキャビネットに収めた際、左側から検索等ができ、その取扱いが容易となる。
【０００８】
また、本発明支援費制度用障害福祉ファイルは、上記複数の上部開口袋状ホルダーを透明な薄いフィルムにより構成してある。即ち、透明で薄いフィルムで構成することで、中の書類が外から見えるとともにかさばらないようにできた。
さらに、本発明支援費制度用障害福祉ファイルは、上記持ち出しホルダーを不透明な着色合成樹脂シートにより構成してある。即ち、持ち出しファイルを持ち出した際、綴じられた書類を外からのぞかれる心配がなく、個人のプライバシーを守ることができる。また、合成樹脂シートであるから下敷きとしても使用できる。
加えて、本発明支援費制度用障害福祉ファイルは、綴じ装置の細長帯状片を挿通する上記持ち出しホルダーの綴じ孔に持ち出しホルダーの縁に続く切欠部を設けてある。即ち、この構成により綴じ装置の細長帯状片を外すことなく、そのまま止めた状態で細長帯状片を持ち出しホルダーの綴じ孔から外すことができる。
【０００９】
また、本発明支援費制度用障害福祉ファイルは、上記片側ホルダーである複数のポケットホルダーの底辺及び側辺に幅広の内折りマチを設けてある。即ち、ポケットホルダーに内折りマチを設けてあるから、大量の帳票を収容することができ、長期の使用にも供し得る。
さらに、本発明支援費制度用障害福祉ファイルは、上記持ち出しホルダーを見開き状ホルダーとし、その上部にスティックファスナーを設けると共に障害者（児）福祉台帳用の他側ホルダーにもスティックファスナーを設けてある。即ち、持ち出しホルダーを見開き状とし、上部にスティックファスナーを設けて、一次、二次アセスメント票、ケア計画書、点検表等、利用者の聞き取りの際に必要な書類を綴じることができるとともに、他側ホルダーにもスティックファスナーを設けてあるから、支援費支給管理台帳等を綴じることができる。
【００１０】
また、本発明支援費制度用障害福祉ファイルは、上記綴じ装置の細長帯状片の基部に係止頭部を備え、見開き状ファイル本体の片側ホルダーに該細長帯状片の係止頭部を係止する係止部を設け、見開き状ファイル本体の他側ホルダーに該細長帯状片の先部を止めるストッパー部を設け、細長帯状片の係止頭部を片側ホルダーの係止部に係止し、細長帯状片の先部を他側ホルダーのストッパー部に係脱自在に止めるようにし、細長帯状片を見開き状ファイル本体の片側ホルダーと他側ホルダー間の内側に介在させてなるものである。即ち、細長帯状片の係止頭部を見開き状ファイル本体の片側ホルダーに設けた係止部に係止し、細長帯状片の先部を他側ホルダーのストッパー部に係脱自在に止めるようにしてあるから、細長帯状片を折り曲げて押え止める押え具等の別物を必要とせず、構造簡単な綴じ装置を使用し、支援費制度用障害福祉ファイルを低コストに提供できる。また、細長帯状片の係止頭部は片側ホルダーの係止部に係脱自在にすることが望ましいが、係止固定してもよい。
【００１１】
また、上記細長帯状片を２本備え、見開き状ファイル本体の片側ホルダーの係止部及び他側ホルダーのストッパー部を２個づつとしてある。即ち、既存の通常の２穴のファイル、袋、書類等をファイルすることにも適応できるものである。さらに、上記細長帯状片の係止頭部を細長帯状片の幅より幅広の四方体とし、その後端に上向きの折曲部を介して後方に突出する舌片を有し、細長帯状片と係止頭部との境界部に薄肉のヒンジ部を設けてある。即ち、係止頭部を細長帯状片の幅より幅広の四方体とし、その後端に上向きの折曲部を介して後方に突出する舌片を有することにより、片側ホルダーの係止部との係合を係脱可能にするだけでなく、安定して固定することもできる。そして、細長帯状片と係止頭部との境界部に薄肉のヒンジ部を設けてあるから、このヒンジ部で細長帯状片が折曲し、ファイルの開閉が円滑にできるものである。
【００１２】
また、上記見開き状ファイル本体の片側ホルダーの係止部が、上記細長帯状片を挿通するスリットと、細長帯状片の係止頭部の両側部を介入する逆ハ字状のスリットと、該係止頭部の舌片を挿通する透孔とを有するものである。即ち、片側ホルダーの係止部がスリットと透孔とによって形成されるから、係止部のための別物の必要なく、構造簡単な綴じ装置を有する支援費制度用障害福祉ファイルを安価に提供できる。
さらに、上記見開き状ファイル本体の他側ホルダーのストッパー部が該他側ホルダーのシートを切り起した切り起し片に細長帯状片の先部を挿通する透孔を設けてある。即ち、上記係止部同様、ストッパー部を構成するための別物を必要とせず、構造簡単な綴じ装置を有する支援費制度用障害福祉ファイルを安価に提供できる。
加えて、上記ストッパー部が一対の切り起し片からなるものであるから、細長帯状片の止めを安定して行うことができる。
さらに、上記細長帯状片を合成樹脂製板により構成してある。即ち、材料としても安価に提供できる。
【００１３】
【発明の実施の形態】
以下図面に示した好ましい実施例に基づき、本発明の詳細を説明する。図中符号１が左右ホルダーを見開き状にした見開き状ファイル本体で、見開き状にした状態で右側に位置する方を片側ホルダー２とし、左側に位置する方を他側ホルダー３としてある。
そしてこの右側の片側ホルダー２と左側の他側ホルダー３の間に細長帯状片４からなる綴じ装置を設けてあり、この綴じ装置の細長帯状片４に持ち出しホルダー５を取付け取外し自在に設けてある。
【００１４】
上記左右のホルダー即ち片側ホルダー２と他側ホルダー３は厚さ０．２ｍｍ程の透明な合成樹脂シートにより構成してあり、片側ホルダー２を複数のポケットホルダー６としてあり、他側ホルダー３を障害者（児）福祉台帳用の上下部開口ホルダー７としてある。
見開き状ファイル本体１は図１３に展開して示すように、一枚の透明な合成樹脂シートにより構成し、略長方形のシートを概略３等分して右側３分の１部分に見開き状ファイル本体１の中央折りスジ９を設け、この折りスジ９を３本としてあり、この中央折りスジ９より右側を片側ホルダー２の表紙としてある。
そして、中央折りスジ９より左側の３分の２の中央に折りスジ１０を設けて、この折りスジ１０で折り畳み、その内側縁辺をヒートシール１１して、上下部開口ホルダー７からなる他側ホルダー３としてある。
この他側ホルダー３には後述する綴じ装置のストッパー部２４，２４を設けてあり、内側に突出するスティックファスナー２５を設けて、このスティックファスナー２５により支援費支給管理台帳２６をファイルするようにしてある。
【００１５】
片側ホルダー２はその表紙に複数のポケットホルダー６を装着してあり、このポケットホルダー６は複数のシートを図１６、図１９に示すように折り畳んだものを図１４、図１５、図１７、図１８に示すようにして組み込んで図１３に示す組立て状態にし、これを図１０に示すようにして片側ホルダー２の表紙の内側にヒートシール１２し、さらに上記表紙の両側辺に設けた内折りマチ用の突片１３，１３を折り畳み、内折りマチ１４，１４を設けて片側ホルダー２のポケットホルダー６を構成する内シート１５にヒートシール１６してあり、ポケットホルダー６の底辺にも内折りマチ１７を設けてある。
【００１６】
上記ポケットホルダー６を構成する片側ホルダー２の表紙には、この表紙に設けた突出片２０を折り込みヒートシール１９して見出し差込み部１８を設けてあり、さらに縁に突出して設けた大きめの舌片２１を内側に折り畳んでポケットホルダー６に収納した書類の落下防止用としてある。また、このポケットホルダー６の各内仕切りシートにはそれぞれ位置をずらせて手掛け用山部２２を設けてある。
さらに、このポケットホルダー６の内シート１５に後述する綴じ装置の係止部２３，２３を設けてある。
【００１７】
持ち出しホルダー５は、厚さ０．３８ｍｍの不透明に着色された合成樹脂シートにより見開き状に構成してある。この持ち出しホルダー５は図２乃至図５に示すように、概略長方形のシートの中央に折りスジ２７を設けて、この折りスジで２つ折りにしてあり、折りスジ２７側の縁近傍位置に綴じ装置の細長帯状片４，４を挿通する綴じ孔２８，２８を設けてあり、この綴じ孔２８，２８に持ち出しホルダー５の折りスジ側縁２９に続く切欠部３０，３０を設けてあり、この切欠部３０によって綴じ装置の細長帯状片４，４をストッパー部２４，２４から外さなくとも綴じ孔２８，２８から外して、持ち出しホルダー５を障害福祉ファイルから取外して持ち出すことができるようにしてある。
そして、この持ち出しホルダー５には見出し差込み部３１を設けてあるとともにスティックファスナー３２，３２を設けてアセスメント票３３を綴じるようにしてある。
【００１８】
さらに、図中３４，３４が複数の上部開口袋状ホルダーで、透明な薄い合成樹脂フィルムにより構成してあり、それぞれに２穴の綴じ孔３５，３５を設けてあり、綴じ装置の細長帯状片４を挿通してファイルするようにしてある。
【００１９】
図２１乃至図２９に細長帯状片４、係止部２３及びストッパー部２５からなる綴じ装置の詳細を示してある。細長帯状片４，４は細長い合成樹脂板によって構成してあり、図示する実施例では２本からなり、２穴のファイルに適応するようにしてある。それぞれの細長帯状片４の基部端に係止頭部２８を設けてあり、先細となる先部３９を設けてある。そして上記係止頭部３８をファイル本体１の片側ホルダー２の係止部２３に係脱自在に係止するようにし、先部３９をファイル本体１の他側ホルダー３のストッパー部２４に係脱自在に止めるようにしてあり、これにより細長帯状片４，４を見開き状のファイル本体１の片側ホルダー２、他側ホルダー３間の内側に介在させるようにしてある。
【００２０】
細長帯状片４の係止頭部３８は、図２２に示すように細長帯状片４の幅より幅広の四方体としてあり、その後端に上向きの折曲片４０を介して後方に突出する半円状の舌片４１を有し、さらに細長帯状片４と係止頭部３８との境界部にその裏側を切欠して薄肉としたヒンジ部４２を設けてある。そして細長帯状片４の先細とした先部３９の表側に上記見開き状ファイル本体１の他側ホルダー３に設けたストッパー部２４に係脱自在の係止突起４３を設けてある。
【００２１】
上記ファイル本体１の片側ホルダー２の係止部２３は、図２２に示すように細長帯状片４を挿通するコ字形状に形成したスリット４４と、細長帯状片４の四方体からなる係止頭部３８の両側部を介入する逆ハ字状のスリット４５，４５と、係止頭部３８の半円状の舌片４１を挿通する半円状の透孔４６とから構成されておる。
【００２２】
一方、ファイル本体の他側ホルダー３に設けたストッパー部２４は、図２８及び図２９に示すように他側ホルダー３を台形状に切り起した一対の切り起し片４７からなり、この切り起し片４７，４７に形成した透孔４８，４８を有し、この透孔４８，４８に図２８に示すように細長帯状片４の先部３９を挿通するようにしてある。
【００２３】
上記の通りからなる綴じ装置をファイル本体１に組み込むには、先ず細長帯状片４の先部３９をファイル本体１の片側ホルダー２の裏側から、その係止部２３のコ字状のスリット４４を挿通する。そして細長帯状片４の係止頭部３８をヒンジ部４２から折り曲げて図２７に示すように立てて係止頭部３８の舌片４１を係止部２３の透孔４６を通過させてファイル本体１の片側ホルダー２の表面に突出させ、その後細長帯状片４を引き出せば、図２１及び図２５に示すように係止頭部３８が係止部２３に係止される。この状態で係止頭部３８の折曲部４０がファイル本体１の片側ホルダー２に係止され、抜け出ることがない。同時に係止頭部３８の両側部を係止部２３の逆ハ字状のスリット４５から片側ホルダー２の表側に突出係止すれば、係止頭部３８の係止部２３への係止がより確実となる。
【００２４】
上記のようにしてファイル本体１の片側ホルダー２の係止部２３に係止頭部３８を係止した細長帯状片４の先部３９を図２０及び図２８に示すようにストッパー部２４の透孔４８に挿通すればよい。
従って見開き状のファイル本体１に書類、別のファイル、ホルダー等を綴じる際には、細長帯状片４，４をストッパー部２４，２４から離脱してその先細の先部３９を書類の２穴に挿通し、その先部３９をストッパー部２４に係止すればよい。
【００２５】
【発明の効果】
本発明支援費制度用障害福祉ファイルは、左右ホルダーを見開き状にした見開き状ファイル本体内に、左右ホルダー間に介在する細長帯状片からなる綴じ装置を設け、この綴じ装置に持ち出しホルダーを取付け取外し自在に設けてあるから、市町村の担当者が利用者の家庭に聞き取りに行く際、支援費制度用障害福祉ファイルから取外して持ち出すことができ、支援費制度用障害福祉ファイル中の別の詳細な情報を同時携帯しないで済むとともに、聞き取り後には持ち出しホルダーを支援費制度用障害福祉ファイルに取付けて一つのファイルにできる効果がある。
【００２６】
また、本発明支援費制度用障害福祉ファイルは、上記見開き状ファイル本体の左右ホルダーの片側ホルダーを複数のポケットホルダーとし、他側ホルダーを障害者（児）福祉台帳用の上下部開口ホルダーとしてあり、さらに綴じ装置の細長帯状片を挿通する綴じ孔を有する複数の上部開口袋状ホルダーを取付け取外し自在に綴じてあるから、障害者（児）福祉台帳を他側ホルダーに出入自在に収めることができ、複数の上部開口状ホルダーに相談受付票、勘案事項整理票、支援費支給申請書、診断書、契約内容報告書等の書類を出入自在に収納でき、複数のポケットホルダーに支援費明細書、サービス提供実績記録票、費用明細書等の書類を一つのファイルに収納できる効果がある。
【００２７】
さらに、本発明支援費制度用障害福祉ファイルは、上記複数のポケットホルダーからなる片側ホルダーを見開き状右側として透明な合成樹脂シートにより構成し、上記障害者（児）福祉台帳用の他側ホルダーを見開き状左側として透明な合成樹脂シートにより構成してあるから、これらホルダーに収められた書類をホルダーの外から視認することができる。また障害者（児）福祉台帳用の他側ホルダーを見開き状左側としたことにより、多数のファイルを収容するキャビネットに収めた際、左側から検索等ができ、その取扱いが容易となる効果がある。
【００２８】
また、本発明支援費制度用障害福祉ファイルは、上記複数の上部開口袋状ホルダーを透明な薄いフィルムにより構成してあるから、中の書類が外から見えるとともにかさばらないようにできた効果がある。
さらに、本発明支援費制度用障害福祉ファイルは、上記持ち出しホルダーを不透明な着色合成樹脂シートにより構成してあるから、持ち出しファイルを持ち出した際、綴じられた書類を外からのぞかれる心配がなく、個人のプライバシーを守ることができる効果があり、また、合成樹脂シートであるから下敷きとしても使用できる効果がある。
加えて、本発明支援費制度用障害福祉ファイルは、綴じ装置の細長帯状片を挿通する上記持ち出しホルダーの綴じ孔に持ち出しホルダーの縁に続く切欠部を設けてあるから、綴じ装置の細長帯状片を外すことなく、そのまま止めた状態で細長帯状片を持ち出しホルダーの綴じ孔から外すことができる効果がある。
【００２９】
また、本発明支援費制度用障害福祉ファイルは、上記片側ホルダーである複数のポケットホルダーの底辺及び側辺に幅広の内折りマチを設けてあるから、大量の帳票を収容することができ、長期の使用にも供し得るものである。
さらに、本発明支援費制度用障害福祉ファイルは、上記持ち出しホルダーを見開き状ホルダーとし、その上部にスティックファスナーを設けると共に障害者（児）福祉台帳用の他側ホルダーにもスティックファスナーを設けてあるから、一次、二次アセスメント票、ケア計画書、点検表等、利用者の聞き取りの際に必要な書類を綴じることができるとともに、他側ホルダーにもスティックファスナーを設けてあるから、支援費支給管理台帳等を綴じることができる効果がある。
【００３０】
また、本発明支援費制度用障害福祉ファイルは、上記綴じ装置の細長帯状片の基部に係止頭部を備え、見開き状ファイル本体の片側ホルダーに該細長帯状片の係止頭部を係止する係止部を設け、見開き状ファイル本体の他側ホルダーに該細長帯状片の先部を止めるストッパー部を設け、細長帯状片の係止頭部を片側ホルダーの係止部に係止し、細長帯状片の先部を他側ホルダーのストッパー部に係脱自在に止めるようにし、細長帯状片を見開き状ファイル本体の片側ホルダーと他側ホルダー間の内側に介在させてなるものであるから、細長帯状片を折り曲げて押え止める押え具等の別物を必要とせず、構造簡単な綴じ装置を使用し、支援費制度用障害福祉ファイルを低コストに提供できる効果がある。また、細長帯状片の係止頭部は片側ホルダーの係止部に係脱自在にすることが望ましいが、係止固定してもよい。
【００３１】
また、上記細長帯状片を２本備え、見開き状ファイル本体の片側ホルダーの係止部及び他側ホルダーのストッパー部を２個づつとしてあるから、既存の通常の２穴のファイル、袋、書類等をファイルすることにも適応できるものである。
さらに、上記細長帯状片の係止頭部を細長帯状片の幅より幅広の四方体とし、その後端に上向きの折曲部を介して後方に突出する舌片を有し、細長帯状片と係止頭部との境界部に薄肉のヒンジ部を設けてあるから、係止頭部を細長帯状片の幅より幅広の四方体とし、その後端に上向きの折曲部を介して後方に突出する舌片を有することにより、片側ホルダーの係止部との係合を係脱可能にするだけでなく、安定して固定することもできる効果がある。そして、細長帯状片と係止頭部との境界部に薄肉のヒンジ部を設けてあるから、このヒンジ部で細長帯状片が折曲し、ファイルの開閉が円滑にできるものである。
【００３２】
また、上記見開き状ファイル本体の片側ホルダーの係止部が、上記細長帯状片を挿通するスリットと、細長帯状片の係止頭部の両側部を介入する逆ハ字状のスリットと、該係止頭部の舌片を挿通する透孔とを有するものであるから、係止部のための別物の必要なく、構造簡単な綴じ装置を有する支援費制度用障害福祉ファイルを安価に提供できる。
さらに、上記見開き状ファイル本体の他側ホルダーのストッパー部が該他側ホルダーのシートを切り起した切り起し片に細長帯状片の先部を挿通する透孔を設けてあるから、上記係止部同様、ストッパー部を構成するための別物を必要とせず、構造簡単な綴じ装置を有する支援費制度用障害福祉ファイルを安価に提供できる。
加えて、上記ストッパー部が一対の切り起し片からなるものであるから、細長帯状片の止めを安定して行うことができる。
さらに、上記細長帯状片を合成樹脂製板により構成してあるから、材料としても安価に提供できる。
【図面の簡単な説明】
【図１】本発明支援費制度用障害福祉ファイルの持ち出しホルダーを右側にして見開き状態にした斜面図。
【図２】同じく障害福祉ファイルの持ち出しホルダーの斜面図。
【図３】同じく持ち出しホルダーの展開状態の分解斜面図。
【図４】同じく持ち出しホルダーの見開き状態の斜面図。
【図５】同じく持ち出しホルダーの使用状態の斜面図。
【図６】持ち出しホルダーを取り出して持ち出した状態の本発明支援費制度用障害福祉ファイルの見開き状態の斜面図。
【図７】本発明障害福祉ファイルの見開きファイル本体の左側裏面を表して綴じ装置のストッパー部を表した見開き状態の斜面図。
【図８】綴じ装置の細長帯状片に複数の上開口袋状ホルダーを装着する状態の斜面図。
【図９】上部開口袋状ホルダー及び持ち出しホルダーを取り外し、綴じ装置の細長帯状片の取付け方向を示した本発明障害福祉ファイルの見開き状態の斜面図。
【図１０】見開きファイル本体の右側表面に複数のポケットホルダーを装着する状態の斜面図。
【図１１】見開きファイル本体の左側表紙に福祉台帳を挿入する状態の斜面図。
【図１２】見開きファイル本体の展開斜面図。
【図１３】ポケットホルダーの組立て前の部分の斜面図。
【図１４】ポケットホルダーの組立て前の部分の見開き斜面図。
【図１５】ポケットホルダーの一部展開斜面図。
【図１６】ポケットホルダーの内側表面部の展開斜面図。
【図１７】ポケットホルダーの内仕切り部の斜面図。
【図１８】ポケットホルダーの内仕切り部の組立て斜面図。
【図１９】ポケットホルダーの内仕切り部の展開斜面図。
【図２０】本発明ファイルの上部開口袋状ホルダーを取り外した状態の斜面図。
【図２１】本発明ファイルの綴じ装置を構成する細長帯状片の係止頭部のファイルとの係合状態の拡大斜面図。
【図２２】同じく上記細長帯状片の係止頭部のファイルとの分離状態の拡大斜面図。
【図２３】上記細長帯状片の係止頭部のファイルとの係合状態の拡大平面図。
【図２４】上記細長帯状片の係止頭部の拡大断面図。
【図２５】図２３上のＡ−Ａ線断面図。
【図２６】図２３上のＢ−Ｂ線断面図。
【図２７】上記細長帯状片の係止頭部のファイルとの係合時の説明図。
【図２８】本発明ファイルの綴じ装置を構成するストッパー部の拡大斜面図。
【図２９】上記ストッパー部の切り起し状態の拡大斜面図。
【図３０】支援費制度の仕組みを示す説明図。
【符号の説明】
１  見開き状ファイル本体
２  片側ホルダー
３  他側ホルダー
４  細長帯状片
５  持ち出しホルダー
６  ポケットホルダー
７  上下部開口ホルダー
８  障害者（児）福祉台帳
９  中央折りスジ
１０  折りスジ
１１  ヒートシール
１２  ヒートシール
１３  突片
１４  内折りマチ
１５  内シート
１６  ヒートシール
１７  内折りマチ
１８  見出し差込み部
１９  折り込みヒートシール
２０  突出片
２１  舌片
２２  手掛け用山部
２３  係止部
２４  ストッパー部
２５  スティックファスナー
２６  支援費支給管理台帳
２７  折りスジ
２８  綴じ孔
２９  折りスジ側縁
３０  切欠部
３１  見出し差込み部
３２  スティックファスナー
３３  アセスメント票
３４  上部開口袋状ホルダー
３５  綴じ孔
３８  係止頭部
３９  先部
４０  折曲片
４１  舌片
４２  ヒンジ部
４３  係止突起
４４  スリット
４５  スリット
４６  透孔
４７  切り起し片
４８  透孔
【図１】
2004160931.tif 000003
【図２】
2004160931.tif 000004
【図３】
2004160931.tif 000005
【図４】
2004160931.tif 000006
【図５】
2004160931.tif 000007
【図６】
2004160931.tif 000008
【図７】
2004160931.tif 000009
【図８】
2004160931.tif 000010
【図９】
2004160931.tif 000011
【図１０】
2004160931.tif 000012
【図１１】
2004160931.tif 000013
【図１２】
2004160931.tif 000014
【図１３】
2004160931.tif 000015
【図１４】
2004160931.tif 000016
【図１５】
2004160931.tif 000017
【図１６】
2004160931.tif 000018
【図１７】
2004160931.tif 000019
【図１８】
2004160931.tif 000020
【図１９】
2004160931.tif 000021
【図２０】
2004160931.tif 000022
【図２１】
2004160931.tif 000023
【図２２】
2004160931.tif 000024
【図２３】
2004160931.tif 000025
【図２４】
2004160931.tif 000026
【図２５】
2004160931.tif 000027
【図２６】
2004160931.tif 000028
【図２７】
2004160931.tif 000029
【図２８】
2004160931.tif 000030
【図２９】
2004160931.tif 000031
【図３０】
2004160931.tif 000032